(57)【要約】   本発明は、洗面台の排水バルブ開閉装置に関するものであって、特に排水バルブを自動で開閉可能な自動開閉手段が設置されたことを特徴とする、洗面台の排水バルブ自動開閉装置に関するものである。   本発明の自動開閉装置は、洗面台の下部に排水管が連結され、排水管の上端即ち、排水口が排水管に内蔵される排水バルブにより開閉される通常の洗面台排水装置において、上記排水管の一方に減速モータを設置し、この減速モータの軸上には上記排水バルブの下端と密接する作動カムを設置し、又洗面台の一定部位には減速モータをオン/オフするためのタッチボタンを設置して成るものである。【選択図】        図４
2005120811.tif 000002
【特許請求の範囲】
【請求項１】
洗面台の下部に排水管が連結され、前記排水管の上端、即ち排水口が前記排水管に内蔵される排水バルブにより開閉される通常の洗面台排水装置において、
前記排水管の一方に減速モータを設置し、前記減速モータの軸上に前記排水バルブの下端と密接する作動カムを設置し、又洗面台の一定部位には減速モータをオン／オフするためのタッチボタンを設置してなることを特徴とする洗面台の排水バルブ自動開閉装置。
【請求項２】
前記排水管は、上部排水管および下部排水管から分離構成されるが、相互ネジ結合され、前記上部排水管および下部排水管には、上下部スプリングハウジングおよび下部スプリングハウジングが各々内蔵されるが、相互対向するように設置された状態で相互ネジ結合され、又上下部スプリングハウジングおよび下部スプリングハウジングの内部には、前記排水バルブを作動方向に弾性支持するスプリングが内蔵されたことを特徴とする請求項１に記載の洗面台の排水バルブ自動開閉装置。
【発明の詳細な説明】
【技術分野】
【０００１】
本発明は洗面台の排水バルブ開閉装置に関するもので、特に排水バルブを自動で開閉可能な自動開閉手段が設置されたことを特徴とする、洗面台の排水バルブ自動開閉装置に関するものである。
【背景技術】
【０００２】
周知のように、洗面台の排水口には排水口を開閉するための排水バルブが必ず設置され、又前記排水バルブは開閉装置により開閉されることで、洗面台に水を受けたり使用水を排出することができる。
【０００３】
従来のバルブ開閉装置は、図１に示されたようにバルブ（１）のステム（１ａ）の下端にリンクされた連結リンク（２）および、前記連結リンク（２）に下端がリンクされ、上端は洗面台（３）の外部へ露出されるように設置された作動台（４）から構成される。
【０００４】
従って、作動台（４）を人為的に上向に引っ張ると、作動台の下端にリンクされた連結リンク（２）は排水管（５）の通孔（５ａ）部位を起点としてシーソー運動しながら、上げられていたバルブ（１）を引き下げることで排水管（５）の上端、即ち、排水口（５ｂ）を塞ぐことになる。
【０００５】
逆に、上げられていた作動台（４）を人為的に下向に押さえると、作動台（４）の下端にリンクされた連結リンク（２）は、排水管（５）の通孔（５ａ）の部位を起点としてシーソー運動しながら、下げられていたバルブ（１）を上げることで排水口（５ｂ）を開放することになる。
【０００６】
しかし、このような従来のバルブ開閉装置は手動式であるので、操作が不便である。特に、バルブ（１）を閉じる際は上記で説明したように、作動台（４）を力強く引き上げることで排水口（５ｂ）が閉じることになるが、高齢者又は幼児等は作動台（４）を引き上げる力が弱くて、バルブが完全に閉じられない状態で使用することになり水消費量が増加する。
【０００７】
又、作動台（４）は洗面台（３）の外部へ貫通設置されなければならないので、洗面台の製作の際、作動台（４）が貫通されるように、貫通孔（３ａ）を必ず形成する必要があるという製造工程上の問題がある。
【０００８】
又、洗面台（３）上に作動台（４）が露出されていると、使用者の手がぶつかりやすいので傷付け、怪我をする危険性もあり、又、作動台（４）の周辺に水垢等の異物質が溜まり易くなり、衛生上、美観上望ましくない。 
【発明の開示】
【発明が解決しようとする課題】
【０００９】
従って、本発明は上記のような従来の問題点を解決するため案出したものであって、本発明の主な目的は排水バルブを自動で開閉可能にした洗面台の排水バルブ自動開閉装置を提供することにある。
【００１０】
このように排水バルブを自動に開閉することができることにより、使用上の便利性が保障され、又作動台が必要ないので洗面台の製造工程が単純化され、作動台の設置のために発生した問題点が解消され、危険性や衛生上および美観上望ましくない点等が改善される効果がある。 
【課題を解決するための手段】
【００１１】
上記本発明の目的は、洗面台の下部に排水管が連結され、排水管の上端即ち、排水口が排水管に内蔵される排水バルブにより開閉される通常の洗面台排水装置において、前記排水管の一方に減速モータを設置し、前記減速モータの軸上には、前記排水バルブの下端と密接する作動カムを設置し、又洗面台の一定部位には、減速モータをオン／オフするためのタッチボタンを設置することにより達成される。
【００１２】
又、上記排水管は、上部排水管と下部排水管に分離して構成されるが、相互ネジ結合され、前記上部排水管および下部排水管には、上部および下部スプリングハウジングが各々内蔵されるが、相互対向するように設置された状態で相互ネジ結合され、又、上部および下部スプリングハウジングの内部には、前記排水バルブを作動方向に弾力支持するスプリングが内蔵されたことを特徴とする。
【発明の効果】
【００１３】
本発明は、簡単なタッチ操作で排水バルブを自動で開閉できるので、手動操作に比べて操作が相当に簡便容易である。
【００１４】
又、作動台を設置するための貫通孔の形成工程が必要ないので、洗面台の製造工程を単純化させることができる。
【００１５】
又、作動台が洗面台上に露出されないので、けがや傷付ける危険性がない。
【００１６】
以下、本発明の好ましい実施例を添付図面を参照して詳細に説明する。
【発明を実施するための最良の形態】
【００１７】
本発明は、洗面台の排水バルブを自動で開閉するためのメカニズムであって、図２乃至図４を通じて明確に説明される。
【００１８】
図２乃至図４を見れば、本発明の排水バルブ自動開閉装置は、洗面台（１０）の下部に排水管（２０）が連結され、前記排水管（２０）の上端即ち、排水口（２１）は前記排水管（２０）に内蔵される排水バルブ（３０）により開閉される通常の洗面台排水装置を基本的に備える状態で、前記排水管（２０）の一方に低速回転される減速モータ（４０）を設置し、前記減速モータ（４０）の軸上には前記排水バルブ（３０）の下端に接触される作動カム（５０）を設置して構成される。
【００１９】
この際、前記減速モータ（４０）のオン／オフ操作のため、洗面台（１０）の一定部位（望ましくは使用者の手が触れやすい位置）に減速モータ（４０）と電気的に連結されたタッチボタン（５５）、又はレバー型ボタンを設置する必要がある。
【００２０】
又、前記排水管（２０）は、上部排水管（２２）および下部排水管（２３）に区分されているが、相互ネジ結合を通じて一体に取り付けられており、その内部に前記排水バルブ（３０）が直立で設置されている。
【００２１】
又、前記上部排水管（２２）および下部排水管（２３）の内部には、上部スプリングハウジング（６１）と下部スプリングハウジング（６２）が対向するように内蔵されており、これらも相互ネジ結合を通じて一体に取り付けられている。 この際、前記上部排水管（２２）および下部排水管（２３）の内面には各々掛り鍔（２２ａ、２３ａ）を設けて、前記上部スプリングハウジング（６１）および下部スプリングハウジング（６２）の上下流動を防止するようにした。
【００２２】
又、前記上部スプリングハウジング（６１）および下部スプリングハウジング（６２）は、掛り板（６１ａ、６２ａ）および、中央に一体に形成されるスプリング支持部（６１ｂ、６２ｂ）から構成されるが、前記掛り板（６１ａ、６２ａ）は、排水ができるように排水孔（６１ｃ、６２ｃ）が複数のリブ（６１ｄ、６２ｄ）により区切られるように形成される。
【００２３】
又、前記上部スプリングハウジング（６１）および下部スプリングハウジング（６２）の内部、即ち各スプリング支持部（６１ｂ、６２ｂ）の内部には、排水バルブ（３０）を作動方向に弾性支持するスプリング（７０）が内蔵されている。
【００２４】
又、前記排水バルブ（３０）には、前記下部スプリングハウジング（６２）の中央部上に位置する掛り環部（３１）が形成され、排水バルブの上昇時、スプリング（７０）を押し上げる役割および、排水バルブが一定位置以上、下らないようにする下降制限鍔の役割を同時にすることになる。
【００２５】
説明されていない符号８０は、作動カム（５０）と円滑に面で接するために設置されたカム台である。
【００２６】
以上のように構成された本発明の作動過程を説明すれば次の通りである。
【００２７】
排水バルブ自動開閉装置が洗面台に結合された状態から、使用者が洗面台（１０）の一定部位に位置したタッチボタン（５５）を押さえると、減速モータ（４０）に電源が印加されると同時に作動カム（５０）を１８０°回転させることになる。これにより、作動カム（５０）の回転半径により、排水バルブ（３０）はスプリング（７０）の力に勝ち、垂直に上昇して排水口（２１）を開放することになる。
【００２８】
逆に、タッチボタン（５５）を再び押さえると、減速モータに電源が印加されると同時に作動カム（５０）を１８０°回転させることになる。これにより、作動カム（５０）の回転半径により、排水バルブ（３０）は垂直に下降して排水口（２１）を塞ぐことになる。この際、前記スプリング（７０）は、その弾性力により、排水バルブ（３０）の掛り環部（３１）を下向に押すことになるので、排水バルブが排水口（２１）を堅固に密封させる役割をなす。
【図面の簡単な説明】
【００２９】
【図１】従来洗面台用排水バルブ開閉装置の構成図である。
【図２】本発明による排水バルブ自動開閉装置の構成図であって、バルブが閉じた状態の断面図である。
【図３】本発明による排水バルブ自動開閉装置の構成図であって、バルブが開いた状態の断面図である。
【図４】図２をＡ方向から見た図である。
【図５】スプリングハウジングの平面図である。
【符号の説明】
【００３０】
１      バルブ                      １ａ    ステム
２      連結リンク                  ３      洗面台
３ａ    貫通孔                      ４      作動台
５      排水管                      ５ａ    通孔
５ｂ    排水口
１０    洗面台                      ２０    排水管
２１    排水口
２２    上部配水管                  ２３    下部配水管
２２ａ  掛り鍔                      ２３ａ  掛り鍔
３０    排水バルブ                  ３１    掛り環部
４０    減速モータ                  ５０    作動カム
５５    タッチボタン  
６１    上部スプリングハウジング    ６２    下部スプリングハウジング
６１ａ  掛り板                      ６２ａ  掛り板
６１ｂ  スプリング支持部            ６２ｂ  スプリング支持部
６１ｃ  排水孔                      ６２ｃ  排水孔
６１ｄ  リブ                        ６２ｄ  リブ
７０    スプリング                  ８０    カム台
【図１】
2005120811.tif 000003
【図２】
2005120811.tif 000004
【図３】
2005120811.tif 000005
【図４】
2005120811.tif 000006
【図５】
2005120811.tif 000007